(57)【要約】      （修正有）【課題】従来の凍結による水道配管４の亀裂破戒防止装置は、電気方式では装置費が高く付き、停電時に不能となり、水道配管４に断熱材を巻きつける方法では施工技術を要し材料劣化が難点で、その他の方法も経済性や衛生面で課題があった。【解決手段】本発明は水道配管４の途中に設けた分岐部に分岐管を取り付け、その一端に上向きに樹脂製の材質で製作した上部円筒形で下部円錐形の形状のものを一体化し空気溜タンク９を取り付け、前記空気溜タンク９の上部は全面開口とし、その開口にフタ１１を設け、更に空気溜タンク９の下部に設けた水抜き用分岐管７に水抜き用コック８を取り付けた水道配管４の亀裂破壊防止装置。【選択図】図１
2019183473.tif 000002
【特許請求の範囲】
【請求項１】
水道配管の途中に設けた分岐部に上向き方向に大容量の空気溜タンクを設けたこと      を特徴とする水道配管の亀裂破壊防止装置。
【請求項２】
前記空気溜タンクの上部に空気取り込み用のフタ付開口部を設け、更に空気溜タンクの下部に設けた分岐管に水抜用コックを取り付けた構造の水道配管の亀裂破壊防止装置。
【発明の詳細な説明】
【技術分野】
【０００１】
本発明は水道配管内の凍結による生じる水道配管の亀裂及び破壊の防止に関する技    術分野である。
【背景技術】
【０００２】
従来の凍結による水道配管の亀裂、破壊の防止手段としては電気ヒーター等の電気    方式と水道配管に断熱材を巻きつける方式が主流であった。
【０００３】
上記の電気方式は複雑構造で配線技術も求められ、施工費用に加え電気代も加算さ    れる等コストが高くつき、断熱材方式は簡明ではあるが、外気温度等の現場条件と断    熱材の選定と巻き付け方法により劣化が進み、効果が低減する等課題があった。
【先行技術文献】
【特許文献】
【０００４】
【特許文献１】特開平６−１０８５０２号公報
【特許文献２】実開昭５４−９９４５６号公報
【特許文献３】実開昭５４−１２２１７号公報
【特許文献４】特開２０６７−３０８９９２号公報
【発明の概要】
【発明が解決しようとする課題】
【０００５】
従来の凍結による水道配管の亀裂、破壊の防止手段として、電気ヒーター方式で        は停電時は機能しない難点があり、電気装置と施工費用、更に電気代も必要で負        担費用が高くつく課題があった。一方、断熱材方式では夏期には強い紫外線によ        り、冬期には低温による凍結の繰り返しや、寒風により断熱材の劣化が早まり効        果が低下する課題があった。以下に前記記載の特許文献に準じその課題を述べる        。
【０００６】
特許文献１の電気方式は配線と構造が複雑で装置費用を初めメンテナンス費用や        電気代等の運用費用も高くつく事が難点である。
【０００７】
特許文献２は空気溜めタンクの容量が小さいためピストン移動が多い時、又配管        が長い場合には機能しない心配がある。又、“Ｏ”リングを使用しているが、外        気温度が著しく低下した場合、空気タンク内の内壁と“Ｏ”リングが凍結癒着し        てシリンダーが動かなくなる事が予想される点が問題である。
【０００８】
特許文献３はスプリングやプランジャーを設けて複雑な加工をするため加工費用
が高くつき、更にプランジャーの案内軸の移動を繰り返す時、案内孔から外気が        入り込み易く、プランジャーの案内軸が汚染され水道管としては衛生上の疑問が        残る。更に、“Ｏ”リングについても上述した問題点も残る。
【０００９】
特許文献４は不活性ガスを空気の代わりに注入充填すると記載されているが、不        活性ガスは元々プラスの圧力があり水道管の上部にガス室が有るにしても水道水        の流れの圧力に誘導されてガスが無くなり、ガス室の空洞化が起こる可能性が有        り問題である。又、ガスを１年中入れておくことも無理があり、夏期にはガス抜        きを行う必要もあるがその分費用も掛かる。更に充填孔スプリングやパッキング        の劣化も故障原因になる可能性もあるため解決するべき課題も多い。
【課題を解決するための手段】
【００１０】
本発明は使用者側の水道配管の途中に上向きのＴ字型分岐管による分岐部を設け        、そこに空気溜タンクを上向けに取り付ける事により、空気溜タンク内部に空気        層を作る構造を特徴とする水道配管の亀裂破壊防止装置により課題を解決する。        
【００１１】
前記空気溜タンクの上部に空気取り込み用の蓋付開口部を設け、更に前記分岐部        の上流側の水道配管にバルブを設ける事により空気量を調整して課題を解決する        。
【発明の効果】
【００１２】
本発明の構造により冬期の凍結による水道配管内の水の体積膨張分を空気溜タン        クへ逃がして空気溜タンク内の空気層を圧縮吸収して亀裂破壊を防止する方法は        構造と施工も簡単であるため、特別に電気装置や断熱材等の設置や維持費も不要        であり、故障の心配も無く安価に利用することが出来る亀裂破壊防止装置である        。
【００１３】
空気溜タンク内には部品も無く，従って凍結癒着や故障の心配もない。
【図面の簡単な説明】
【００１４】
【図１】本発明の実施形態を示す水道配管亀裂破壊防止装置の配置図
【図２】同水道配管亀裂破壊防止装置の空気溜タンクの詳細図
【発明を実施するための形態】
【００１５】
上記の図１及び図２に準じて以下に発明を実施する為の形態を説明する。
水道局本管１より分岐された水道局バルブ２、水道局メーター３を通して使用者        側水道配管４へと水道水は送られる。
【００１６】
空気溜タンク９にバルブ５を取り付ける。このバルブは多種の工事の時に水道局        本管１内の水との関係を遮断する必要の時に使用するものである。
【００１７】
前記バルブ５を経た使用者側水道配管４に分岐管６を設置して上方向へ配管して        水抜き用分岐管７を設置し、その分岐先に水抜き用のコック８を取り付ける。
【００１８】
上向きのＴ字型に設置された分岐管７の上方に空気溜タンク９を設置する。
【００１９】
空気溜タンク９は冬期以外の時にタンク内の空気を入替え作業を行うが、その作        業の順番は先ずバルブ５を閉め、空気溜タンク９の蓋11又はニップル12を開けて        水抜きコック８より水を抜くことにより空気溜タンク９の点検と空気の入れ替え        ができる。
【００２０】
空気溜タンク９の材質は樹脂製又は錆びない材質で製作する。
【００２１】
落水防止用バルブ13は家屋内での各部屋における水道配管４内の水の落下を防ぐ        必要の時に閉める。
【００２２】
上記に記載の各装置の点検は最低でも年１回は行うことが望ましい。
【００２３】
以上の形態の構成により、凍結時に使用者側水道配管４内の水の体積増大による        
圧力を空気溜タンク９内の空気層12に圧縮吸収させることで使用者側水道配管４        
内の圧力を減少させることができ、しかも、簡単構造で簡単施工のため、配管の        亀裂破壊防止装置が格安価の費用で出来上がる。
【符号の説明】
【００２４】
１  水道局本管
２  水道局バルブ
３  水道局メーター
４  使用者側水道配管
５  バルブ
６  分岐管
７  水抜き用分岐管
８  水抜き用コック
９  空気溜タンク
１０  パッキン
１１  フタ
１２  ニップル
１３  落水防止用バルブ
【図１】
2019183473.tif 000003
【図２】
2019183473.tif 000004
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
水道配管の途中に設けた分岐部に分岐管を取り付けて、その一端に上向きに、樹 
脂製の材質で製作した上部円筒形で下部円錐の形状の物を一体化した空気溜タンク        
を取り付けた簡単な構造を特徴とする水道配管の亀裂破壊防止装置。
【請求項２】
前記空気溜タンクの上部に全面開口のフタを設け、さらに空気溜タンクの下部に        設けた水抜き用分岐管に水抜き用コックを取り付けた構成を特徴とする請求項１        に記載の水道配管の亀裂破壊防止装置。
【手続補正２】
【補正対象書類名】明細書
【補正対象項目名】００１６
【補正方法】変更
【補正の内容】
【００１６】
空気溜タンク９の手前にバルブ５を取り付ける。このバルブ５は多種の工事の時
に水道局本管１内の水との関係を遮断する必要の時に使用するものである。
【手続補正３】
【補正対象書類名】明細書
【補正対象項目名】００２０
【補正方法】変更
【補正の内容】
【００２０】
空気溜タンク９の材質は樹脂製等の錆びない材質で製作する。
【手続補正４】
【補正対象書類名】明細書
【補正対象項目名】００２２
【補正方法】変更
【補正の内容】
【００２２】
上記に記載の各装置の清掃と点検は最低でも年１回は行うことが望ましい。
【手続補正５】
【補正対象書類名】明細書
【補正対象項目名】００２４
【補正方法】変更
【補正の内容】
【００２４】
１  水道局本管
２  水道局バルブ
３  水道局メーター
４  使用者側水道配管
５  バルブ
６  分岐管
７  水抜き用分岐管
８  水抜き用コック
９  空気溜タンク    ( 樹脂製等の錆ない材質 )
１０  パッキン        (“Ｏ”リング)
１１  フタ            ( 樹脂製等の錆ない材質 )
１２  ニップル
１３  落水防止用バルブ
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
水道配管の途中に設けた分岐部に分岐管を取り付けて、その一端に上向きに、樹 
脂製の材質で製作した上部円筒形で下部円錐の形状の物を一体化した空気溜タンク 
を取り付け、前記空気溜タンクの上部は全面開口とし、その開口にフタを設け、更 
に空気溜タンクの下部に設けた水抜き用分岐管に水抜き用コックを取り付けた水道 
配管の亀裂破壊防止装置。
【手続補正２】
【補正対象書類名】明細書
【補正対象項目名】００１６
【補正方法】変更
【補正の内容】
【００１６】
空気溜タンク９の手前にバルブ５を取り付ける。このバルブ５は多種の工事の時に
水道本管１内の水との関係を遮断する必要のある時に使用するものである。
【手続補正３】
【補正対象書類名】明細書
【補正対象項目名】００２０
【補正方法】変更
【補正の内容】
【００２０】
空気溜タンク９の材質は樹脂等の錆ない材質を用いて製作する。
【手続補正４】
【補正対象書類名】明細書
【補正対象項目名】００２２
【補正方法】変更
【補正の内容】
【００２２】
上記に記載の各装置の清掃と点検は定期的に最低でも年１回は行うことが望ましい。